(57)【要約】      （修正有）【課題】海水の浸入によって薬液が希釈されても海苔網を良好に酸処理できる海苔網酸処理船を提供する。【解決手段】海苔網を薬液で酸処理する海苔網酸処理船１は、海から海苔網を巻き上げるための海苔網巻上装置７，８を設けた処理槽３と、処理槽に薬液を供給するための薬液供給装置１５と、処理槽に薬液を循環させるための薬液循環装置１８と、薬液の濃度を検出するための濃度検出装置２０と、薬液循環装置で循環させる薬液の濃度が低下したことを濃度検出装置で検出した場合に薬液供給装置から薬液を供給させる制御装置２１とを有する。また、処理槽を前後に区画可能とし、各区画５，６に海苔網巻上装置を配置するとともに、薬液循環装置によって前後の区画間で薬液を循環させるようにした。【選択図】図１
0003212304.tif 000002
【実用新案登録請求の範囲】
【請求項１】
海苔網を薬液で酸処理する海苔網酸処理船において、
海から海苔網を巻き上げるための海苔網巻上装置を設けた処理槽と、
薬液を循環させるための薬液循環装置と、
薬液循環装置で循環させる薬液の濃度を検出するための濃度検出装置と、
を有することを特徴とする海苔網酸処理船。
【請求項２】
処理槽に薬液を供給するための薬液供給装置と、
薬液循環装置で循環させる薬液の濃度が低下したことを濃度検出装置で検出した場合に薬液供給装置から薬液を供給させる制御装置と、
を有することを特徴とする請求項１に記載の海苔網酸処理船。
【請求項３】
前記処理槽を前後に区画可能とし、各区画に前記海苔網巻上装置を配置するとともに、前記薬液循環装置によって前後の区画の間で薬液を循環させることを特徴とする請求項１又は請求項２に記載の海苔網酸処理船。
【考案の詳細な説明】
【技術分野】
【０００１】
本考案は、海苔網を薬液で酸処理する海苔網酸処理船に関するものである。
【背景技術】
【０００２】
従来より、海苔の養殖には、海面に張設した海苔網が用いられている。この海苔網を海上において薬液で酸処理する際には、海苔網酸処理船が使用されている（たとえば、特許文献１参照。）。
【０００３】
従来の海苔網酸処理船は、処理槽に海苔網巻上装置を設けた構成となっている。そして、海苔網酸処理船を使用して海苔網を酸処理する場合には、海苔網巻上装置によって海苔網を海上から巻き上げ、その海苔網を処理槽に貯留した酸性の薬液に浸漬させて海苔網の酸処理を行い、その後、海苔網巻上装置から海苔網を再び海上に繰り出すようにしている。
【先行技術文献】
【特許文献】
【０００４】
【特許文献１】特開平５−４１９３０号公報
【考案の概要】
【考案が解決しようとする課題】
【０００５】
上記従来の海苔網酸処理船を用いて海上で海苔網の酸処理を行うと、海上での作業となるために波等の影響で処理槽に海水が流入することがある。
【０００６】
そして、処理槽に海水が流入すると、処理槽に貯留した酸性の薬液の濃度（ｐＨ）が低下してしまい、酸処理効果が低減して良好に酸処理できなくなるおそれがある。
【課題を解決するための手段】
【０００７】
そこで、請求項１に係る本考案では、海苔網を薬液で酸処理する海苔網酸処理船において、海から海苔網を巻き上げるための海苔網巻上装置を設けた処理槽と、薬液を循環させるための薬液循環装置と、薬液循環装置で循環させる薬液の濃度を検出するための濃度検出装置とを有することにした。
【０００８】
また、請求項２に係る本考案では、前記請求項１に係る本考案において、処理槽に薬液を供給するための薬液供給装置と、薬液循環装置で循環させる薬液の濃度が低下したことを濃度検出装置で検出した場合に薬液供給装置から薬液を供給させる制御装置とを有することにした。
【０００９】
また、請求項３に係る本考案では、前記請求項１又は請求項２に係る本考案において、前記処理槽を前後に区画可能とし、各区画に前記海苔網巻上装置を配置するとともに、前記薬液循環装置によって前後の区画の間で薬液を循環させることにした。
【考案の効果】
【００１０】
そして、本考案では、以下に記載する効果を奏する。
【００１１】
すなわち、本考案では、海苔網を薬液で酸処理する海苔網酸処理船において、海から海苔網を巻き上げるための海苔網巻上装置を設けた処理槽と、薬液を循環させるための薬液循環装置と、薬液循環装置で循環させる薬液の濃度を検出するための濃度検出装置とを有することにしているために、処理槽に貯留した海苔網を酸処理するための薬液の濃度が海水の流入等によって低下したことを知らずに海苔網を酸処理してしまうのを防止することができる。
【００１２】
特に、処理槽に薬液を供給するための薬液供給装置と、薬液循環装置で循環させる薬液の濃度が低下したことを濃度検出装置で検出した場合に薬液供給装置から薬液を供給させる制御装置とを有することにした場合には、処理槽に貯留した海苔網を酸処理するための薬液の濃度が海水の流入等によって低下してしまうのを防止することができるので、薬液による酸処理効果（薬液の濃度）を確保することができ、海苔網を良好に酸処理することができる。
【００１３】
また、前記処理槽を前後に区画可能とし、各区画に前記海苔網巻上装置を配置するとともに、前記薬液循環装置によって前後の区画の間で薬液を循環させることにした場合には、区画間の薬液の濃度差を無くし、いずれの区画においても海苔網を良好に酸処理することができる。
【図面の簡単な説明】
【００１４】
【図１】本考案に係る海苔網酸処理船を示す説明図。
【考案を実施するための形態】
【００１５】
以下に、本考案に係る海苔網酸処理船の構成について図面を参照しながら説明する。なお、以下の説明では、海苔網酸処理船の模式的な構成について説明するが、これは本考案の本質を理解しやすいようにするためであり、本考案に係る海苔網酸処理船における各種装置等の具体的な構造や配置などの構成は必要に応じて適宜設計されるものである。
【００１６】
図１に示すように、海苔網酸処理船１は、船体２の中央部に上方を開放させた処理槽３を形成している。この処理槽３には、海苔網を浸漬させて酸処理するための酸性の薬液が貯留される。
【００１７】
また、海苔網酸処理船１は、処理槽３の中央部（海苔網処理船１の進行方向に向かって前側と後側との間）に仕切４を着脱自在に設けている。そして、仕切４を取外すことで、処理槽３を一つの大きな水槽とし、仕切４を取付けることで、処理槽３を前後の水槽に区画できるようにしている。
【００１８】
また、海苔網酸処理船１は、処理槽３の各区画5,6に海苔網巻上装置7,8をそれぞれ設けている。この海苔網巻上装置7,8は、処理槽３の各区画に駆動軸9,10と従動軸11,12とを左右方向（海苔網処理船１の進行方向と直交する方向）に伸延させた状態で回動自在に設けている。駆動軸9,10には、駆動源13が連動機構14を介して接続されている。そして、海苔網巻上装置7,8は、駆動軸9,10に海苔網の端部を接続して駆動軸9,10を巻上側に回転させることで海苔網を海から巻き上げ、一方、駆動軸9,10を繰出側に回転（又は自由に回転）させることで海苔網を海に繰り出すことができるようになっている。
【００１９】
また、海苔網酸処理船１は、処理槽３の一方の区画６に薬液供給装置15を接続している。この薬液供給装置15は、薬液を貯留する薬液タンク16にポンプ17を接続し、ポンプ17を処理槽３の一方の区画６に接続している。そして、薬液供給装置15は、ポンプ17を駆動することで薬液タンク16から薬液を処理槽３に供給することができるようになっている。
【００２０】
また、海苔網酸処理船１は、処理槽３の一方の区画５と他方の区画６との間に薬液循環装置18を設けている。この薬液循環装置18は、処理槽３の一方の区画６にポンプ19を接続し、ポンプ19を処理槽３の他方の区画５に接続している。そして、薬液循環装置18は、ポンプ19を駆動することで処理槽３の一方の区画６から薬液を吸引し、その薬液を処理槽３の他方の区画５に吐出することで、薬液を循環させることができるようになっている。ここで、薬液循環装置18は、薬液供給装置15を接続した処理槽３の区画６とは異なる区画５から薬液を吸引するようにしている。これにより、薬液循環装置18で薬液を循環させることで、薬液が処理槽３の内部で撹拌混合されるようにもなっている。
【００２１】
さらに、海苔網酸処理船１は、薬液の濃度（ｐＨ）を検出するための濃度検出装置（ｐＨセンサー）20を設けている。この濃度検出装置20は、薬液循環装置18の薬液循環流路の途中に設けられ、循環する薬液の濃度を検出するようになっている。なお、濃度検出装置20は、処理槽３の内部に設けて処理槽３に貯留された薬液の濃度を検出するようにしてもよいが、処理槽３の内部で薬液の濃度に偏りがある場合には正確な濃度を検出することができないため、薬液を循環する流路内に設けるのが好ましい。
【００２２】
そして、海苔網酸処理船１は、海苔網巻上装置7,8（駆動源13及び連動機構14）や薬液供給装置15（ポンプ17）や薬液循環装置18（ポンプ19）や濃度検出装置20に制御装置21を接続しており、この制御装置21で各装置の駆動を制御するようにしている。特に、制御装置21は、濃度検出装置20によって処理槽３の内部に貯留され循環される薬液の濃度を検出し、その濃度が所定値よりも低くなったことを検出した場合には、処理液が海水等によって希釈されたものと判断し、薬液供給装置15を駆動して所定濃度の薬液を処理槽３に追加供給して、薬液の濃度が所定値以上となるように制御するようにしている。
【００２３】
以上に説明したように、海苔網を薬液で酸処理する海苔網酸処理船１は、海から海苔網を巻き上げるための海苔網巻上装置7(8)を設けた処理槽３と、薬液を循環させるための薬液循環装置18と、薬液循環装置18で循環させる薬液の濃度を検出するための濃度検出装置20とを有する構成となっている。
【００２４】
そのため、上記構成の海苔網酸処理船１では、処理槽３に貯留した海苔網を酸処理するための薬液の濃度が海水の流入等によって低下したこををしらずに海苔網を酸処理してしまうのを防止することができる。
【００２５】
また、上記海苔網酸処理船１は、処理槽３に薬液を供給するための薬液供給装置15と、薬液循環装置18で循環させる薬液（処理液）の濃度が低下したことを濃度検出装置20で検出した場合に薬液供給装置15から薬液を供給させる制御装置21とを有する構成となっている。
【００２６】
そのため、上記構成の海苔網酸処理船１では、処理槽３に貯留した海苔網を酸処理するための薬液の濃度が海水の流入等によって低下してしまうのを防止することができるので、薬液による酸処理効果（薬液の濃度）を確保することができ、海苔網を良好に酸処理することができる。
【００２７】
また、上記海苔網酸処理船１は、処理槽３を前後に区画可能とし、各区画5,6に海苔網巻上装置7,8を配置するとともに、薬液循環装置18によって前後の区画5,6の間で薬液を循環させる構成となっている。
【００２８】
そのため、上記構成の海苔網酸処理船１では、区画間の薬液の濃度差を無くし、いずれの区画5,6においても海苔網を良好に酸処理することができる。
【符号の説明】
【００２９】
１  海苔網酸処理船                  ２  船体
３  処理槽                          ４  仕切
5,6  区画                           7,8  海苔網巻上装置
9,10  駆動軸                        11,12  従動軸
13  駆動源                          14  連動機構
15  薬液供給装置                    16  薬液タンク
17  ポンプ                          18  薬液循環装置
19  ポンプ                          20  濃度検出装置
21  制御装置
【図１】
0003212304.tif 000003
【手続補正書】
【提出日】平成29年7月10日(2017.7.10)
【手続補正１】
【補正対象書類名】実用新案登録請求の範囲
【補正対象項目名】全文
【補正方法】変更
【補正の内容】
【実用新案登録請求の範囲】
【請求項１】
海苔網を薬液で酸処理する海苔網酸処理船において、
海から海苔網を巻き上げるための海苔網巻上装置を設けた処理槽と、
処理槽から薬液を吸引するとともにその薬液を処理槽に吐出することで薬液を循環させるための薬液循環装置と、
薬液循環装置で循環させる薬液の濃度を検出するための濃度検出装置と、
を有することを特徴とする海苔網酸処理船。
【請求項２】
処理槽に薬液を供給するための薬液供給装置と、
薬液循環装置で循環させる薬液の濃度が低下したことを濃度検出装置で検出した場合に薬液供給装置から薬液を供給させる制御装置と、
を有することを特徴とする請求項１に記載の海苔網酸処理船。
【請求項３】
前記処理槽を前後に区画可能とし、各区画に前記海苔網巻上装置を配置するとともに、前記薬液循環装置によって前後の区画の間で薬液を循環させることを特徴とする請求項１又は請求項２に記載の海苔網酸処理船。
【手続補正２】
【補正対象書類名】明細書
【補正対象項目名】０００７
【補正方法】変更
【補正の内容】
【０００７】
そこで、請求項１に係る本考案では、海苔網を薬液で酸処理する海苔網酸処理船において、海から海苔網を巻き上げるための海苔網巻上装置を設けた処理槽と、処理槽から薬液を吸引するとともにその薬液を処理槽に吐出することで薬液を循環させるための薬液循環装置と、薬液循環装置で循環させる薬液の濃度を検出するための濃度検出装置とを有することにした。